(57)【要約】【課題】無線ＬＡＮ端末の区域特定にあたり、セキュリティの低下を防止し、接続希望端末や使用希望端末を容易に探索すること。【解決手段】通信可能範囲２１０，２１１に存在する無線ＬＡＮ端末１００との通信を可能にする複数個の指向性アンテナ２０４，２０５と、これらのアンテナを介して無線ＬＡＮ端末１００との通信を行う無線ＬＡＮ通信装置２０３と、無線ＬＡＮ端末１００から得られた情報を記憶する記憶装置２０２と、無線ＬＡＮ通信装置２０３，記憶装置２０２の駆動制御を行うＣＰＵ２０１とを備えた区域特定装置２００を有し、無線ＬＡＮ端末１００の存在する区域を複数個の指向性アンテナ２０４，２０５により特定する。【選択図】      図１
2004328524.tif 000002
【特許請求の範囲】
【請求項１】
通信可能範囲に存在する無線ＬＡＮ端末との通信を可能にする複数個の指向性アンテナと、前記複数個の指向性アンテナを介して前記無線ＬＡＮ端末との通信を行う無線ＬＡＮ通信装置と、前記無線ＬＡＮ端末から得られた情報を記憶する記憶装置と、前記無線ＬＡＮ通信装置および前記記憶装置の駆動制御を行うＣＰＵとを備えた区域特定装置を有し、前記無線ＬＡＮ端末の存在する区域を前記複数個の指向性アンテナにより特定することを特徴とする無線ＬＡＮ端末の区域特定システム。
【請求項２】
前記区域特定装置は、複数個設け、それぞれに通信可能範囲を独立にもしくは重複して設定することを特徴とする請求項１記載の無線ＬＡＮ端末の区域特定システム。
【請求項３】
前記無線ＬＡＮ端末は、それぞれ入力装置，表示装置，記憶装置，無線ＬＡＮ通信装置および無指向性アンテナで構成し、前記区域特定装置の前記複数個の指向性アンテナにより補足されたときのみ、通信を可能とすることを特徴とする請求項１記載の無線ＬＡＮ端末の区域特定システム。
【請求項４】
前記区域特定装置の前記複数個の指向性アンテナは、前記通信可能範囲が互いに向き合うように、対向配置することを特徴とする請求項１記載の無線ＬＡＮ端末の区域特定システム。
【請求項５】
前記区域特定装置の通信可能範囲は、区域識別値を設定されることを特徴とする請求項１記載の無線ＬＡＮ端末の区域特定システム。
【請求項６】
無線ＬＡＮ端末からの信号を区域特定装置の第１および第２の指向性アンテナを用いて受信し、その受信時刻とともに受信データをそれぞれ記憶装置へ格納する第１および第２のステップと、前記受信したデータ，受信時刻が同一か否かを比較し、前記無線ＬＡＮ端末が同一区域内に存在するか否かを判定する第３のステップと、前記第３のステップで前記端末が同一区域内であったときには、前記記憶装置の区域内装置リストへ記憶する第４のステップと、前記第３のステップで前記端末が同一区域内でなかったときには、前記区域内装置リストから削除する第５のステップと、前記第４のステップの後に、前記区域特定装置で受信した信号が区域の情報の問い合わせであるか否かを判定する第６のステップと、前記第６のステップで区域問い合わせでなかったときは、そのまま処理を終了するが、区域問い合わせのときには、前記無線ＬＡＮ端末に対し、区域識別値情報を送信する第７のステップとを含むことを特徴とする無線ＬＡＮ端末の区域特定方法。
【請求項７】
同一区域内の自動接続にあたり、前記無線ＬＡＮ端末が電源投入時に自分の存在区域を前記区域特定装置より取得するステップと、この存在区域を取得した後に、前記無線ＬＡＮ端末は、周囲にある無線ＬＡＮ端末の検索を行うステップと、見つかった無線ＬＡＮ端末全てについて、存在している区域を前記区域特定装置により取得し、自分と同一区域の端末だけを抽出するステップと、この抽出のステップを経た後に、区域内の端末が１つだけか否かを判定するステップとを含み、前記判定ステップで１つだけのときは、区域内端末へ接続する一方、１つだけではなかったときにはそのまま処理を終了することを特徴とする請求項６に記載の無線ＬＡＮ端末の区域特定方法。
【請求項８】
区域特定装置と第１の無線ＬＡＮ端末との間で、区域識別値の送受信を行った後に、第２の無線ＬＡＮ端末より前記第１の無線ＬＡＮ端末が制御信号を受信したとき、前記第１の無線ＬＡＮ端末より前記区域特定装置に対し問い合わせを行うステップと、その問い合わせに基づいて前記区域特定装置より前記第１の無線ＬＡＮ端末に対し区域識別値を送受信するステップと、前記区域識別値を受信した後、前記第１の無線ＬＡＮ端末は前記第２の無線ＬＡＮ端末が区域内に存在するか否かの判定を行い、区域外であればそのまま処理を終了する一方、区域内にあれば、前記第２の無線ＬＡＮ端末からの前記制御信号を受け入れるステップとを含むことを特徴とする無線ＬＡＮ端末の区域特定方法。
【発明の詳細な説明】
【０００１】
【発明の属する技術分野】
本発明は無線ＬＡＮ端末の区域特定システムおよび区域特定方法に関し、特に複数の指向性アンテナを備える無線ＬＡＮ端末の区域特定システムおよび区域特定方法に関する。
【０００２】
【従来の技術】
従来の無線ＬＡＮシステムは、特許文献１に記載したように、親局と複数の子局とを無線回線で接続したＬＡＮシステムが知られている。
【０００３】
また、親局などの無線装置は、特許文献２に記載したように、ＣＰＵ，メモリを持った制御ユニットと、指向性を持った複数のアンテナからなるアンテナユニットと、無線送受信回路ユニットとを備えた無線装置も知られている。
【０００４】
【特許文献１】
特開１０−６５６６８号公報（第１乃至２頁、図１）
【特許文献２】
特開２０００−１１５０４１号公報（第３頁、第１図）
【０００５】
【発明が解決しようとする課題】
上述した従来の無線ＬＡＮシステムは、より遠くまで電波を届けるように技術の改善がなされていったが、遠くまで電波が届くことによって、次のような問題が発生している。
【０００６】
その第１の問題は、隣の会社や家などの外部の無線ＬＡＮ端末から自分の所有する端末が見えてしまい、通信を行ってしまうことも可能になることである。そのために、外部からの侵入によるセキュリティの低下が発生する。
【０００７】
また、第２の問題は、無線ＬＡＮ端末の一覧の画面に自分には関係のない端末が大量に表示されるようになり、使用したい端末を探すことが困難である。要するに、目の前の端末に接続したい場合でも、周囲数十メートルの範囲に存在する端末から希望の端末を探す必要がある。さらには、同じ型番の機器の場合は、画面上では見分けがつかない場合もあり、接続してみないと正しい端末かどうかも分からないという問題がある。
【０００８】
本発明の目的は、このようなセキュリティの低下を防止するとともに、接続したい端末や使用したい端末を容易に探索することのできる無線ＬＡＮ端末の区域特定システムおよび区域特定方法を提供することにある。
【０００９】
【課題を解決するための手段】
本発明の無線ＬＡＮ端末の区域特定システムは、通信可能範囲に存在する無線ＬＡＮ端末との通信を可能にする複数個の指向性アンテナと、前記複数個の指向性アンテナを介して前記無線ＬＡＮ端末との通信を行う無線ＬＡＮ通信装置と、前記無線ＬＡＮ端末から得られた情報を記憶する記憶装置と、前記無線ＬＡＮ通信装置および前記記憶装置の駆動制御を行うＣＰＵとを備えた区域特定装置を有し、前記無線ＬＡＮ端末の存在する区域を前記複数個の指向性アンテナにより特定することを特徴としている。
【００１０】
また、本発明の無線ＬＡＮ端末の区域特定方法は、無線ＬＡＮ端末からの信号を区域特定装置の第１および第２の指向性アンテナを用いて受信し、その受信時刻とともに受信データをそれぞれ記憶装置へ格納する第１および第２のステップと、前記受信したデータ，受信時刻が同一か否かを比較し、前記無線ＬＡＮ端末が同一区域内に存在するか否かを判定する第３のステップと、前記第３のステップで前記端末が同一区域内であったときには、前記記憶装置の区域内装置リストへ記憶する第４のステップと、前記第３のステップで前記端末が同一区域内でなかったときには、前記区域内装置リストから削除する第５のステップと、前記第４のステップの後に、前記区域特定装置で受信した信号が区域の情報の問い合わせであるか否かを判定する第６のステップと、前記第６のステップで区域問い合わせでなかったときは、そのまま処理を終了するが、区域問い合わせのときには、前記無線ＬＡＮ端末に対し、区域識別値情報を送信する第７のステップとを含むことを特徴としている。
【００１１】
さらに、本発明の無線ＬＡＮ端末の区域特定方法は、区域特定装置と第１の無線ＬＡＮ端末との間で、区域識別値の送受信を行った後に、第２の無線ＬＡＮ端末より前記第１の無線ＬＡＮ端末が制御信号を受信したとき、前記第１の無線ＬＡＮ端末より前記区域特定装置に対し問い合わせを行うステップと、その問い合わせに基づいて前記区域特定装置より前記第１の無線ＬＡＮ端末に対し区域識別値を送受信するステップと、前記区域識別値を受信した後、前記第１の無線ＬＡＮ端末は前記第２の無線ＬＡＮ端末が区域内に存在するか否かの判定を行い、区域外であればそのまま処理を終了する一方、区域内にあれば、前記第２の無線ＬＡＮ端末からの前記制御信号を受け入れるステップとを含むことを特徴としている。
【００１２】
【発明の実施の形態】
本発明は、無線ＬＡＮ端末によって構築されているネットワークにおいて、そのネットワークの内部に存在する各無線ＬＡＮ端末の物理的存在場所を、区域特定装置を用いて特定するための区域特定システムを提供するものである。以下、本発明の実施の形態について図面を参照して説明する。
【００１３】
図１は本発明の第１の実施の形態を説明するための無線ＬＡＮ端末の区域特定システムの構成図である。図１に示すように、本実施の形態における区域特定システムは、区域特定装置２００と、複数の無線ＬＡＮ端末１００、１１０、１２０とにより構成される。これら複数の無線ＬＡＮ端末１００，１１０，１２０によって１つのネットワークが構築されており、このネットワークにおいて、固定された、もしくは移動可能な、無線ＬＡＮ端末１００の位置が、固定された、もしくは移動可能な区域特定装置２００によって、特定されるものである。
【００１４】
まず、無線ＬＡＮ端末１００は、プログラム制御により動作するコンピュータ１０１と、ユーザーが情報を入力する入力装置１０２と、ユーザーへ情報を表示する表示装置１０３と、ＣＰＵ１０１によって処理した情報を格納する記憶装置１０４と、無線での通信を行う無線ＬＡＮ通信装置１０５と、無線ＬＡＮ通信装置１０５からの信号を送信し且つ他の無線ＬＡＮ端末からの信号を受信する無指向性アンテナ１０６とによって構成される。なお、無線ＬＡＮ端末１１０と１２０も上述した無線ＬＡＮ端末１００と同じ装置で構成される。
【００１５】
一方、区域特定装置２００は、プログラム制御により動作するコンピュータ２０１と、このＣＰＵ２０１によって処理した情報を格納する記憶装置２０２と、無線での通信を行う無線ＬＡＮ通信装置２０３と、無線ＬＡＮ通信装置２０３からの信号を送信し且つ他の無線ＬＡＮ端末からの信号を受信する２つの指向性アンテナ２０４および２０５とを備えている。これらの指向性アンテナ２０４および２０５は、それぞれ通信可能範囲２１０および２１１を設定されている。なお、指向性アンテナ２０５については、便宜的に区域特定装置２００の外部に配置しているが、無線で区域特定装置２００の無線ＬＡＮ通信装置２０３と結合していれば良い。
【００１６】
通常、指向性アンテナ２０４，２０５は、電波の送受信可能な範囲２１０，２１１がアンテナ前方のみに限られるため、２つの指向性アンテナ２０４，２０５の送受信可能な側を向かい合わせて配置した場合、２つのアンテナ２０４，２０５の間には、両方のアンテナと電波の送受信が可能な区域ができる。そのため、ある無線ＬＡＮ端末（例えば、１００）が電波を送信した時、指向性アンテナ２０４と指向性アンテナ２０５の両方でその電波を受信できた場合は、その電波を発した無線ＬＡＮ端末は、指向性アンテナ２０４と指向性アンテナ２０５の間にあることが分かる。
【００１７】
そこで、本実施の形態では、区域特定装置２００を使い、無線ＬＡＮ端末１００の存在する場所を特定することで、特定区域外にある無線ＬＡＮ端末からのアクセスを拒否したり、ユーザーに無線ＬＡＮ端末一覧を表示する際に、特定区域内の端末のみを表示させるなどの工夫が可能になる。
【００１８】
例えば、指向性アンテナ２０４は、上述したように、通信可能範囲２１０を持ち、指向性アンテナ２０５は、同様に通信可能範囲２１１を持ち、しかもこれらの２つの通信可能範囲は重なっている。すなわち、通信可能範囲２１０は、指向性アンテナ２０４の右側へ円錐形状での広がりを持ち、無線ＬＡＮ端末１００，１１０，１２０をカバーしている。また、通信可能範囲２１１は、指向性アンテナ２０５の左側へ円錐形状での広がりを持ち、無線ＬＡＮ端末１００，１１０をカバーしている。
【００１９】
図２は図１における無線ＬＡＮ端末，通信可能範囲にそれぞれ識別値を与えたときの識別概略図である。図２に示すように、無線ＬＡＮ端末１２０などの無線ＬＡＮ装置は、それぞれを識別するための装置識別値を持っている。例えば、無線ＬＡＮ端末１００の装置識別値は１００、無線ＬＡＮ端末１１０の装置識別値は１１０、無線ＬＡＮ端末１２０の装置識別値は１２０である。これら装置識別値には、メディア・アクセス・コントロール（ＭＡＣ）アドレスなどの装置固有の値を用いる。また、区域特定装置２００は、区域識別値２００を持ち、その値もＭＡＣアドレスなどの区域特定装置固有の値を用いる。
【００２０】
図３は図１における区域特定装置の基本的な処理フロー図である。図３に示すように、この区域特定装置２００を用いた無線ＬＡＮ端末１００の区域特定にあたり、まず無線ＬＡＮ端末１００は無線ＬＡＮ通信装置１０５と無指向性アンテナ１０６を用いて信号を送信する（ステップＡ１）。
【００２１】
これに対し、区域特定装置２００は、指向性アンテナ２０４と無線ＬＡＮ通信装置２０３を用いて端末１００からの信号を受信し、受信時刻とともに受信信号を記憶装置２０２へ格納する（ステップＡ２）。同様に、区域特定装置２００は、指向性アンテナ２０５と無線ＬＡＮ通信装置２０３を用いて信号を受信し、受信時刻とともに信号を記憶装置２０２へ格納する（ステップＡ３）。
【００２２】
ついで、区域特定装置２００においては、指向性アンテナ２０４で受信した信号と受信時刻を、指向性アンテナ２０５で受信した信号と受信時刻を比較し、同一であれば、信号の送信元である無線ＬＡＮ端末１００は、区域識別値２００の区域内に存在することが分かる（ステップＡ４）。ここで、上述した無線ＬＡＮ端末１００が区域内であることが分かった場合は、信号の送信元の装置識別値１００を記憶装置２０２の中に設けられた区域内装置リストに格納する（ステップＡ５）。この区域内装置リストは、現在区域内に存在していると識別された全ての装置端末の装置識別値を格納するものである。
【００２３】
また、上述した区域特定システムにおいて、無線ＬＡＮ端末１００は区域特定装置２００に対して、特定の装置の存在区域を問い合わせることが出来る。すなわち、区域特定装置２００は、受信した信号が区域の情報の問い合わせだった場合は（ステップＡ６）、指定された無線ＬＡＮ端末１００の装置識別値１００が区域内装置リストに含まれているか否かの検索を行い、含まれていた場合は、区域識別値２００を無線ＬＡＮ端末１００へ返信する（ステップＡ７）。この結果、無線ＬＡＮ端末１００は、区域特定装置２００から区域識別値２００を受信する（ステップＡ８）。
【００２４】
さらに、ステップＡ４で受信した信号が区域外であると判定された場合は、記憶装置２０２の中の区域内装置リストの中から信号を送信した無線ＬＡＮ端末１００の装置識別値１００を検索し、存在した場合は区域内装置リストから削除する（ステップＡ９）。このとき、例えば無線ＬＡＮ端末１２０から信号が発せられた場合は、ステップＡ４でＮＯと判定され、ステップＡ９の処理、すなわち、流れになる。
【００２５】
図４は図１において区域外からの通信が発生したときの拒絶処理フロー図である。図４に示すように、区域外からの通信の拒絶処理にあたり、まず無線ＬＡＮ端末１００は、電源投入時に（ステップＢ１）、自分自身がどの区域に存在しているかを問い合わせる（ステップＢ２）。これを受けて、区域特定装置２００は、問い合わせを受信し（ステップＢ３）、区域特定装置２００の区域識別値を送信する（ステップＢ４）。しかる後、無線ＬＡＮ端末１００は、その区域識別値を受信する（ステップＢ５）。これらのステップＢ２からＢ５の処理は、前述した図３のフローにおけるステップＡ１からステップＡ９と同一の内容である。
【００２６】
ここで、無線ＬＡＮ端末１１０は、無線ＬＡＮ端末１００を制御するために制御信号を送信（ステップＢ６）したとする。その結果、この制御信号を受信した無線ＬＡＮ端末１００は、無線ＬＡＮ端末１１０からの制御信号を受信する（ステップＢ７）。
【００２７】
次に、無線ＬＡＮ端末１００は、受信した制御信号の送信元である無線ＬＡＮ端末１１０が存在している区域を区域特定装置２００に問い合わせる（ステップＢ８）。区域特定装置２００は、無線ＬＡＮ端末１００からの問い合わせを受信する（ステップＢ９）と、区域特定装置２００は、無線ＬＡＮ端末１００に対して無線ＬＡＮ端末１１０の存在区域を調査し、区域識別値２００を返信する（ステップＢ１０）。これにより、無線ＬＡＮ端末１００は、区域識別装置２００からの信号を受信する（ステップＢ１１）。このステップＢ８からＢ１１の処理は、前述した図３のフローにおけるステップＡ１からＡ９と同一の内容である。
【００２８】
さらに、無線ＬＡＮ端末１００は、無線ＬＡＮ端末１１０の存在区域が自分の存在区域と同じであるか否かを判定（ステップＢ１２）し、同じであった場合は、前述したステップＢ６で受信した制御信号を受け入れる（ステップＢ１３）。また、このステップＢ１２において、無線ＬＡＮ端末１１０の存在区域が異なる区域であった場合は、何もしないで処理を終了する。すなわち、無線ＬＡＮ端末１２０からの制御信号の場合は、ステップＢ１２でＮＯの流れになり、ステップＢ１３の処理を行わずに、制御処理を終了する。
【００２９】
以上が区域外からの通信が発生したときの拒絶処理フローであるが、次に区域内装置の自動接続について説明する。
【００３０】
図５は図１における区域内装置の自動接続処理フロー図である。図５に示すように、同じ区域内の端末からの自動接続にあたり、無線ＬＡＮ端末１００は、電源投入時に（ステップＣ１）、自分の存在区域を区域特定装置２００より取得する（ステップＣ２）。このステップＣ１からステップＣ２は、前述した図４におけるステップＢ１からステップＢ５までと同一である。
【００３１】
次に、無線ＬＡＮ端末１００は、周囲にある無線ＬＡＮ端末の検索を行う（ステップＣ３）。見つかった無線ＬＡＮ端末全てについて、存在している区域を区域特定装置２００により取得し、自分と同一区域の端末だけを抽出する。このとき、各端末が提供しているサービスを取得できる場合は、サービスを取得し、利用したいサービスを提供している端末だけを抽出する（ステップＣ４）。
【００３２】
さらに、同一の区域内の端末の抽出を行った結果、同一の区域内の端末が１つだけか否かの判定を行い（ステップＣ５）、残った端末が１つだけの場合は、自動的にその端末に接続を行う（ステップＣ６）。しかし、ステップＣ５において、残った端末が１つだけではなかった場合、すなわち０個もしくは複数個あったときには、ステップＣ６を行わずに、自動接続処理を終了する。
【００３３】
図６は本発明の第２の実施の形態を説明するための区域特定装置の構成図である。図６に示すように、本実施の形態は、区域特定装置に４つの指向性アンテナを設けた例であり、前述した図１の第１の実施例における区域特定装置２００に指向性アンテナ２０６と指向性アンテナ２０７を追加したものである。なお、送受信可能区域をより狭める場合などは、３つ以上の指向性アンテナを用いる構成も考えられる。
【００３４】
図７は本発明の第３の実施の形態を説明するための区域特定装置において電波の届く範囲に存在する端末を区別する端末リスト表示画面図である。図７に示すように、本実施の形態は、無線ＬＡＮ端末１００において、区域特定装置２００を用い、電波の届く範囲に存在する端末のリストを表示する画面である。この端末リスト３００は区域特定装置２００を利用することにより、区域内と区域外を分けて、無線ＬＡＮ端末１００に表示したものである。すなわち、区域内の端末としては、第１のテレビ，第１の携帯電話，プリンタ，ＰＤＡがあり、その型番はそれぞれ○○○もしくは○○○○である。また、区域外の端末としては、第２のテレビおよび第２，第３の携帯電話があり、その型番はそれぞれ○○○○もしくは○○○である。このように、区域別に端末を表示し、同一区域の端末を強調表示するようにしてもよい。
【００３５】
図８は本発明の第４の実施の形態を説明するための無線ＬＡＮ端末の区域特定システムの構成図である。図８に示すように、本実施の形態は、複数の区域特定装置２００，２１０が存在する場合である。すなわち、無線ＬＡＮ端末１００，１１０と、区域特定装置２００と、指向性アンテナ２０４，２０５とにより構成される第１の無線ＬＡＮシステムの他に、無線ＬＡＮ端末１２０，１３０，１４０と、区域特定装置２１０と、指向性アンテナ２１４，２１５とにより構成される第２の無線ＬＡＮシステムが存在する。ここで、区域特定装置２００の通信可能範囲には、区域識別値２００という値がついており、この区域には無線ＬＡＮ端末１００，１１０が存在している。同様に、区域特定装置２１０の通信可能範囲には、区域識別値２１０という値がついており、この区域には無線ＬＡＮ端末１２０，１３０，１４０が存在している。しかし、無線ＬＡＮ端末１５０はどの区域にも属さない。
【００３６】
例えば、無線ＬＡＮ端末１００が自分と同一区域の無線ＬＡＮ端末とのみ通信したい場合は、通信相手の区域識別値を取得し、その区域識別値が２００であれば、通信するようにする。この例の場合は、無線ＬＡＮ端末１１０のみとの通信が可能になる。
【００３７】
また、区域２００と区域２１０の両方の無線ＬＡＮ端末と通信したい場合は、通信相手の区域識別値を区域特定装置２００，２１０の両方に問い合わせる。この場合は、無線ＬＡＮ端末１１０，１２０，１３０，１４０と通信可能になる。本実施の形態では、普段は１つの会議室内でのみ通信可能とし、場合によっては、２つの会議室にまたがって通信を可能にするといった場合に使用することができる。
【００３８】
図９は本発明の第５の実施の形態を説明するための無線ＬＡＮ端末の区域特定システムの構成図である。図９に示すように、本実施の形態は複数の区域特定装置２００，２１０が重複する場合である。前述した図８の例が２区域隣接であるのに対し、図９は或る区域が別の区域を包含するような場合である。
【００３９】
例えば、会議室の中だけで通信したい場合と、会議室の中だけで且つ各テーブルごとのみで通信したい場合とで、このような構成を用いることができる。
【００４０】
図１０は図８において複数の区域特定装置を用いたときの電波の届く範囲に存在する端末のリスト表示画面図である。図１０に示すように、本実施の形態は、複数の区域特定装置２００，２１０を用い、区域特定装置２００，２１０毎に、管理する端末を決めたものである。ここでは、電波の届く範囲に存在する端末のマップ３０１を表示する画面を示し、例えば端末マップ３０１は複数の区域特定装置２００，２１０を用い、それらの区域特定装置２００，２１０ごとに、コントロールされる機器をマップ化したものである。
【００４１】
【発明の効果】
以上説明したように、本発明の無線ＬＡＮ端末の区域特定システムは、複数の指向性アンテナを持つ区域特定装置を用いて電波を送信している無線ＬＡＮ端末の区域を特定することにより、電波を発信している無線ＬＡＮ端末が存在している区域を特定できるという効果がある。
【００４２】
また、本発明は、特定の区域に存在する無線ＬＡＮ端末からの信号を無視したり、拒絶したりすることができるので、無線ＬＡＮ端末におけるセキュリティを高めることが出来るという効果がある。
【００４３】
さらに、本発明は、区域特定装置により、ユーザの操作している端末と同一区域に存在する端末を見分けることができるので、存在する無線ＬＡＮ端末の選択操作を簡略化できるという効果がある。すなわち、無線の届く範囲にある無線ＬＡＮ端末全てを接続可能にしてしまうと、目の前にある端末との接続を行いたいのにも関わらず、たくさん表示される端末のリストの中からユーザが端末を探す必要があるが、本発明はその必要がなくなる。
【図面の簡単な説明】
【図１】本発明の第１の実施の形態を説明するための無線ＬＡＮ端末の区域特定システムの構成図である。
【図２】図１における無線ＬＡＮ端末，通信可能範囲にそれぞれ識別値を与えたときの識別概略図である。
【図３】図１における区域特定装置の基本的な処理フロー図である。
【図４】図１において区域外からの通信が発生したときの拒絶処理フロー図である。
【図５】図１における区域内装置の自動接続処理フロー図である。
【図６】本発明の第２の実施の形態を説明するための区域特定装置の構成図である。
【図７】本発明の第３の実施の形態を説明するための区域特定装置において電波の届く範囲に存在する端末を区別する端末リスト表示画面図である。
【図８】本発明の第４の実施の形態を説明するための無線ＬＡＮ端末の区域特定システムの構成図である。
【図９】本発明の第５の実施の形態を説明するための無線ＬＡＮ端末の区域特定システムの構成図である。
【図１０】図８において複数の区域特定装置を用いたときの電波の届く範囲に存在する端末のリスト表示画面図である。
【符号の説明】
１００，１１０，１２０，１３０，１４０，１５０    無線ＬＡＮ端末
１０１，２０１    ＣＰＵ
１０２    入力装置
１０３    表示装置
１０４，２０２    記憶装置
１０５，２０３    無線ＬＡＮ通信装置
１０６    無指向性アンテナ
２００，２１０    区域特定装置
２０４，２０５，２０６，２０７，２１４，２１５    指向性アンテナ
３００    端末リスト
３０１    端末マップ
【図１】
2004328524.tif 000003
【図２】
2004328524.tif 000004
【図３】
2004328524.tif 000005
【図４】
2004328524.tif 000006
【図５】
2004328524.tif 000007
【図６】
2004328524.tif 000008
【図７】
2004328524.tif 000009
【図８】
2004328524.tif 000010
【図９】
2004328524.tif 000011
【図１０】
2004328524.tif 000012